(57)【要約】      （修正有）【課題】自転車等で走行時に正面から風圧を受けても、安定したフード着用を可能とし、又、風圧を受けていない状態でも頭部の濡れを防ぐフード本体の効果も減ずることのないフード付きレインコートを提供する。【解決手段】頭部を覆うためのフード１４を備えるフード付きレインコート１０であって、フード１４は正面に開口部を有し、開口部と対向する背面部１４２にメッシュ部を設ける。好ましくは、背面部１４２は、後方へ向かって山状に張り出した形状を有し、メッシュ部は、背面部１４２の最奥部に設ける。【選択図】図４
0003145238.tif 000002
【実用新案登録請求の範囲】
【請求項１】
頭部を覆うためのフードを備えるフード付きレインコートであって、
前記フードは正面に開口部を有し、前記開口部と対向する前記フードの背面部に通気孔を備えることを特徴とするフード付きレインコート。
【請求項２】
前記背面部は、後方へ向かって山状に張り出した形状を有し、前記通気孔は、前記背面部の最奥部に設けられていることを特徴とする請求項１記載のフード付きレインコート。
【請求項３】
前記通気孔は、前記背面部に設けられたメッシュの孔であることを特徴とする請求項１または２記載のフード付きレインコート。
【考案の詳細な説明】
【技術分野】
【０００１】
この考案は、レインコートに関し、特に、フード付きのレインコートに関する。
【背景技術】
【０００２】
雨天時の自転車走行において、片手で傘を差しながら運転する行為は、道路交通法で規制されていることもあり、安全上好ましくない行為として一般的に認識されている。そこで、雨天時の自転車走行に好適な雨具として、レインコートが広く知られている。レインコートは、傘等の雨具と異なり手を拘束されることがないため、自転車のハンドルを両手で保持して走行することが可能となる。更に、フードが一体、或いは着脱自在に設けられたフード付きのレインコートは、走行時の頭部の濡れを効果的に抑止することができる。
【考案の開示】
【考案が解決しようとする課題】
【０００３】
ところで、自転車の走行時においては、運転者は正面から走行風を受けることとなる。このため、フード付きレインコートを着用している場合においては、風圧によってフードが後方へ飛ばされて脱げてしまうことが想定される。したがって、運転者は、かかる事態を回避するために、片手でフードを押さえながら運転することを余儀なくされ、これにより走行時の安定性を欠くこととなってしまう。
【０００４】
この考案は、上述のような課題を解決するためになされたもので、安定したフードの着用を可能とするフード付きのレインコートを提供することを目的とする。
【課題を解決するための手段】
【０００５】
第１の考案は、上記の目的を達成するため、頭部を覆うためのフードを備えるフード付きレインコートであって、
前記フードは正面に開口部を有し、前記開口部と対向する前記フードの背面部に通気孔を備えることを特徴とする。
【０００６】
第２の考案は、第１の考案において、
前記背面部は、後方へ向かって山状に張り出した形状を有し、前記通気孔は、前記背面部の最奥部に設けられていることを特徴とする。
【０００７】
第３の考案は、第１または第２の考案において、
前記通気孔は、前記背面部に設けられたメッシュの孔であることを特徴とする。
【考案の効果】
【０００８】
第１の考案によれば、フードの背面部には通気孔が設けられている。フードの開口部からフード内に侵入した空気は、該開口部に対向するフードの背面部に設けられた通気孔を通過して外部空間へ流れる。このため、本考案によれば、フードの開口部から背面部へ向かって作用する風圧を逃がすことができるので、風圧でフードが後方に外れてしまう事態を効果的に抑制することができる。
【０００９】
第２の考案によれば、フードの背面部は、後方に向かって山状に張り出すように形成され、その最奥部に通気孔が設けられている。このような構成によれば、風圧が弱い状況では、山状に形成されたフードの背面部が下方へ垂れる。このため、本考案によれば、通気孔から雨が侵入してしまう事態を効果的に回避することができる。
【００１０】
第３の考案によれば、通気孔はメッシュを設けることで構成されている。このため、本考案によれば、簡易な構成で通気孔部を構成することができるので、製造コストを効果的に抑えることができる。
【考案を実施するための最良の形態】
【００１１】
以下、図面に基づいてこの考案の実施の形態について説明する。尚、各図において共通する要素には、同一の符号を付して重複する説明を省略する。また、以下の実施の形態によりこの考案が限定されるものではない。
【００１２】
実施の形態．
［実施の形態の構成］
図１は、本考案の実施の形態に係るレインコートの構成を説明するための図である。レインコート１０は、身体に着用する衣服型の雨具であり、防水性の素材（例えば、ビニル系の素材）で構成されている。レインコート１０は身体部を覆う本体１２と、頭部を覆うフード１４と、を備えている。フード１４は、レインコート１０の本体１２と一体、或いは着脱自在に形成されている。
【００１３】
本考案は、フード１４の形状および構造に特徴がある。図２は、フード１４を側面から見た模式図である。この図に示すとおり、フード１４は、頭部の周囲を覆うためのものであり、フード１４の正面側には開口部１４１が設けられている。また、開口部１４１と対向するフード１４の背面部１４２は、後方に向かって山状に張り出した先細り形状となっている。
【００１４】
背面部１４２の最奥部には、メッシュ部１４３が取り付けられている。図３を参照して、メッシュ部１４３の構造について更に詳細に説明する。図３は、図２に示す背面部１４２の最奥部近傍を拡大して示す斜視図である。この図に示すとおり、背面部１４２の最奥部には、略円形のメッシュ部１４３が取り付けられている。メッシュ部１４３はメッシュ状に形成された生地であり、当該メッシュ部１４３のメッシュ孔を介して、フード１４の内部と外部との間で空気の出入が可能になっている。
【００１５】
［実施の形態の特徴］
次に、本実施の形態のレインコート１０の特徴について詳細に説明する。レインコートを着用して自転車を走行させると、運転者は正面から風圧を受けることとなる。このため、従来のレインコートでは、走行風による風圧でフードが後方へ飛ばされてしまうおそれがある。したがって、運転者は、かかる事態を回避するために、片手でフードを押さえながら運転することを余儀なくされ、これにより走行時の安定性を欠くこととなってしまう。特に、雨天時は水溜りや泥濘などが発生するため、走行時の危険度がより一層増大することとなる。また、レインコートの着用者が自転車の走行中でなく歩行中の場合であっても、正面からの強風によりフードが飛ばされてしまう事態も想定される。
【００１６】
そこで、本実施の形態のレインコート１０では、フード１４の背面部１４２の最奥部にメッシュ部１４３が取り付けられている。メッシュ部１４３は、フード１４内に侵入した風（空気）を当該メッシュ部１４３から外部空間へ通過させることができる。つまり、フード１４が受ける風圧を外部空間へ効率よく逃がすことができるので、フード１４が風圧で後方へ脱げてしまう事態を効果的に抑制することができる。
【００１７】
更に、本実施の形態のフード１４は、その形状に特徴がある。図４は、正面から風圧を受けていない場合におけるフード１４の着用状態を模式的に示す図である。上述したとおり、フード１４は、背面部１４２が後方に向かって山状に張り出した形状を有している。このため、この図に示すとおり、正面からの風圧を受けていない場合には、当該山状の背面部１４２が下方に垂れて折り畳まれる。つまり、メッシュ部１４３は、下方に向かって垂れた状態となるので、該メッシュ部１４３からの雨の侵入が回避される。また、正面からの風圧を受けている場合には、フード１４内部からメッシュ部１４３を通過して風が流れるため、該メッシュ部１４３からフード１４内部に雨が侵入することはない。したがって、本実施の形態のフード１４の形状によれば、メッシュ部１４３からフード１４内部へ雨が侵入する事態を効果的に回避することができ、頭部の濡れを防ぐフード本来の効果も確実に果たすことができる。
【００１８】
このように、本実施の形態のレインコート１０によれば、風圧によってフード１４が脱げてしまう事態を効果的に抑制することができる。また、本実施の形態のレインコート１０によれば、美観を損なうような構成（例えば、ヒモやクリップなど）を必要としないため、ファッション性を害すことなく、安定したフードの着用を実現することができる。
【００１９】
ところで、上述した実施の形態によれば、背面部１４２の最奥部にメッシュ部１４３を取り付けることとしているが、背面部１４２の最奥部の構造はこれに限られない。すなわち、フード１４内に作用する風圧を外部空間に逃がすことができるのであれば、メッシュ部１４３の形状は特に制限されない。また、メッシュ部１４３に替えて、複数の孔を有する他の素材を取り付けることとしてもよいし、また、背面部１４２の最奥部に直接複数の孔を設けることとしてもよい。
【００２０】
また、上述した実施の形態によれば、背面部１４２は、図２に示すとおり、後方に向かって山状に張り出した形状を有しているが、背面部１４２の形状はこれに限られない。すなわち、風圧が弱い場合にメッシュ部１４３が下方に垂れる形状であれば、該背面部１４２の張り出し形状などは特に限定しない。
【００２１】
本実施の形態のレインコート１０を着用して自転車に搭乗している例を図５に示す。
【図面の簡単な説明】
【００２２】
【図１】本考案の実施の形態に係るレインコートの構成を説明するための図である。
【図２】フード１４を側面から見た模式図である。
【図３】図２に示す背面部１４２の最奥部近傍を拡大して示す斜視図である。
【図４】正面から走行風を受けていない場合におけるフード１４の着用状態を模式的に示す図である。
【図５】本実施の形態のレインコート１０を着用して自転車に搭乗している図を示す。
【符号の説明】
【００２３】
１０  レインコート
１２  本体
１４  フード
１４１  開口部
１４２  背面部
１４３  メッシュ部
【図１】
0003145238.tif 000003
【図２】
0003145238.tif 000004
【図３】
0003145238.tif 000005
【図４】
0003145238.tif 000006
【図５】
0003145238.tif 000007